(57)【要約】【課題】  照明器具自体の光り方を演出可能とする照明制御装置及び照明システムを提供する。【解決手段】  実施形態の照明制御装置は、照明光を発するもので、当該照明光の色温度を変更可能な主光源と、演出光を発する副光源と、照明光と演出光とを散乱させつつ透過するカバーとを備えた照明器具を制御するもので、設定手段、第１の決定手段、第２の決定手段及び通知手段を備える。設定手段は、照明光の色温度を設定する。第１の決定手段は、設定手段により設定された色温度に基づいて主光源の発光条件を決定する。第２の決定手段は、設定手段により設定された色温度に基づいて副光源の発光条件を決定する。通知手段は、第１の決定手段及び第２の決定手段によりそれぞれ決定された発光条件を照明器具へ通知する。【選択図】      図５
2017112062.tif 000002
【特許請求の範囲】
【請求項１】
照明光を発するもので、当該照明光の色温度を変更可能な主光源と；
演出光を発する副光源と；
前記照明光と前記演出光とを散乱させつつ透過するカバーと；
を具備する照明器具を制御するもので、
前記照明光の色温度を設定する設定手段と；
前記設定手段により設定された色温度に基づいて前記主光源の発光条件を決定する第１の決定手段と；
前記設定手段により設定された色温度に基づいて前記副光源の発光条件を決定する第２の決定手段と；
前記第１の決定手段及び前記第２の決定手段によりそれぞれ決定された発光条件を前記照明器具へ通知する通知手段と；
を具備したことを特徴とする照明制御装置。
【請求項２】
前記副光源は、前記照明光とは異なる色の光として前記演出光を発するものであり；
前記第２の決定手段は、前記副光源の発光強度を前記副光源の発光条件として決定する；
ことを特徴とする請求項１に記載の照明制御装置。
【請求項３】
前記副光源は、さらに前記演出光の色を変更可能であり；
前記第２の決定手段は、前記副光源が発する光の色を前記副光源の発光条件としてさらに決定する；
ことを特徴とする請求項２に記載の照明制御装置。
【請求項４】
画像を表示する表示手段；
をさらに備え、
前記第２の決定手段は、前記表示手段が表示する画像に応じて前記副光源の発光条件を決定する；
ことを特徴とする請求項１に記載の照明制御装置。
【請求項５】
前記第１の決定手段は、前記表示手段が表示する画像に基づいて前記主光源の発光条件を決定する；
ことを特徴とする請求項４に記載の照明制御装置。
【請求項６】
複数の画像データの中から１つの画像データを選択する選択手段と；
前記選択手段により選択された画像データを前記照明器具に取得させる取得制御手段と；
をさらに備え、
前記第１の決定手段及び前記第２の決定手段は、前記選択手段が選択した前記画像データに関連づけられた設定データに基づいて前記主光源の発光条件及び前記副光源の発光条件をそれぞれ決定する；
ことを特徴とする請求項５に記載の照明制御装置。
【請求項７】
前記選択手段は、予め定められた条件に従って前記複数の画像データの中から１つの画像データを選択する；
ことを特徴とする請求項６に記載の照明制御装置。
【請求項８】
前記複数の画像データを記憶する記憶手段と；
前記記憶手段に記憶された画像データを書き換える書き換え手段と；
を更に具備することを特徴とする請求項７に記載の照明制御装置。
【請求項９】
照明光を発するもので、当該照明光の色温度を変更可能な主光源と；
演出光を発する副光源と；
前記照明光と前記演出光とを散乱させつつ透過するカバーと；
を備えた照明器具と；
前記照明光の色温度を設定する設定手段と；
前記設定手段により設定された色温度に基づいて前記主光源の発光条件を決定する第１の決定手段と；
前記設定手段により設定された色温度に基づいて前記副光源の発光条件を決定する第２の決定手段と；
前記第１の決定手段及び前記第２の決定手段によりそれぞれ決定された発光条件を前記照明器具へ通知する通知手段と；
を備えた照明制御装置と；
を具備したことを特徴とする照明システム。
【発明の詳細な説明】
【技術分野】
【０００１】
本発明の実施形態は、照明制御装置及び照明システムに関する。
【背景技術】
【０００２】
照明器具は一般に、照明対象とする範囲内を均一に照明するための光を発する。  
一部には、照明される空間の雰囲気を演出するための光を発する機能を有する照明器具もあるが、光色及び明るさを変化させているだけであり、均一な照明を目的とすることに変わりはない。
【０００３】
このため従来は、照明器具の周囲に居る人がその照明器具自体を見ることに特別な意義は無かった。
【先行技術文献】
【特許文献】
【０００４】
【特許文献１】特開２０１２−１８６１１８号公報
【発明の概要】
【発明が解決しようとする課題】
【０００５】
周囲を照明することを主たる目的としていながら、照明器具自体の光り方を演出できる照明装置は知られていない。
【０００６】
本発明が解決しようとする課題は、照明器具自体の光り方を演出可能とする照明制御装置及び照明システムを提供することである。
【課題を解決するための手段】
【０００７】
実施形態の照明制御装置は、照明光を発するもので、当該照明光の色温度を変更可能な主光源と、演出光を発する副光源と、照明光と演出光とを散乱させつつ透過するカバーとを備えた照明器具を制御するもので、設定手段、第１の決定手段、第２の決定手段及び通知手段を備える。設定手段は、照明光の色温度を設定する。第１の決定手段は、設定手段により設定された色温度に基づいて主光源の発光条件を決定する。第２の決定手段は、設定手段により設定された色温度に基づいて副光源の発光条件を決定する。通知手段は、第１の決定手段及び第２の決定手段によりそれぞれ決定された発光条件を照明器具へ通知する。
【発明の効果】
【０００８】
本発明によれば、照明器具自体の光り方を演出可能とする照明制御装置及び照明システムを提供できる。
【図面の簡単な説明】
【０００９】
【図１】第１の実施形態に係る照明システムの施工例を示す図。
【図２】図１に示す照明器具の構造を一部破断して示す図。
【図３】図１に示す照明システムの電気的な回路構成を示すブロック図。
【図４】図３中の設定データテーブルに含まれるデータレコードの構成を示す図。
【図５】図３中のプロセッサによる第１の実施形態における制御処理のフローチャート。
【図６】第１の実施形態におけるカバーの見た目の色の様子を示す図。
【図７】第２の実施形態に係る副光源の回路構成を示すブロック図。
【図８】設定データテーブルに第２の実施形態において含まれるデータレコードの構成を示す図。
【図９】図３中のプロセッサによる第２の実施形態における制御処理のフローチャート。
【図１０】第３の実施形態に係る照明システムの施工例を示す図。
【図１１】図１０中の照明器具の構造を一部破断して示す図。
【図１２】図１０に示す照明システムの電気的な回路構成を示すブロック図。
【図１３】図１２中の設定データテーブルに含まれるデータレコードの構成を示す図。
【図１４】図１２中の設定データテーブルに含まれるデータレコードの構成を示す図。
【図１５】図１２中のプロセッサによる第３の実施形態における制御処理のフローチャート。
【図１６】第３の実施形態におけるカバーの見た目の色の様子を示す図。
【発明を実施するための形態】
【００１０】
本実施形態の照明制御装置は、照明光を発するもので、当該照明光の色温度を変更可能な主光源と、演出光を発する副光源と、主光源が発した照明光と演出光とを散乱させつつ透過するカバーとを備える照明器具を制御する。照明制御装置は、プロセッサを備える。プロセッサは、照明光の色温度を設定する。プロセッサは、上記の設定した色温度に基づいて主光源の発光条件を決定する。プロセッサは、上記の設定した色温度に基づいて副光源の発光条件を決定する。プロセッサ及び通信インタフェースは、それぞれ決定した上記の発光条件を照明器具へ通知する。
【００１１】
以下、いくつかの実施の形態について図面を用いて説明する。
【００１２】
（第１の実施形態）
図１は第１の実施形態に係る照明システム１００の施工例を示す図である。なお図１は、建築物内の１つの部屋ＲのフロアＦ、天井Ｃ及び側壁Ｗ１，Ｗ２の一部と、側壁Ｗ３と、ドアＤとを表している。
【００１３】
照明システム１００は、１つ又は複数の照明器具１、照明制御装置２及びＬＡＮ（local area network）３を含む。ただし図１では２つの照明器具１を図示している。  
照明器具１は、いずれも天井Ｃに取り付けられている。照明器具１は、部屋Ｒ内を照明する。  
照明制御装置２は、側壁Ｗ３に取り付けられている。照明制御装置２は、使用者による操作を受けて照明器具１の点灯状態を制御する。  
ＬＡＮ３は、照明器具１と照明制御装置２との間で授受される各種のデータを伝送する。ＬＡＮ３は、有線及び無線のいずれであっても良いし、あるいは有線及び無線を混用しても良い。ただし、図１においては、ＬＡＮケーブルが側壁Ｗ３の内部及び天井Ｃの裏側に敷設されている様子を示している。接続された複数のノードのうちの任意の２つのノードの間でのデータの授受を可能とする様々なネットワークをＬＡＮ３に代えて適用しても良い。すなわち例えば、ＬＡＮ３に代えて、例えばインターネットやbluetooth（登録商標）パーソナルネットワークなどの他の種類の通信網を利用することも可能である。また照明器具１と照明制御装置２との間をそれぞれ直結する信号線を設けて、この信号線を介してデータを授受する形態としても良い。
【００１４】
図２は照明器具１の構造を一部破断して示す図である。  
照明器具１は、筐体１１、反射板１２、カバー１３、２つの主光源１４及び２つの副光源１５を備える。  
筐体１１は、例えば鉄板を、一面を開口した箱状に形成して構成される。筐体１１は、開口面を下に向けた状態で天井Ｃに埋め込まれる。  
反射板１２は、例えばアルミ又はスチール等の金属製であり、断面形状がアーチ形をなしている。反射板１２の凹面側は、高効率で光を反射する反射面とするよう、例えば白色塗装されている。反射板１２の材料としては、好適には白色鋼板を採用することができる。反射板１２は、反射面を筐体１１の開口面に向けて筐体１１の内部に固定されている。  
カバー１３は、例えば乳白色のアクリル製であり、入射する光を散乱させつつ透過する。本実施形態においては、カバー１３の断面形状をアーチ形としている。そしてカバー１３は、凹面側を下方に向けて筐体１１の開口面を塞ぐ状態で筐体１１に取り付けられている。
【００１５】
２つの主光源１４は、反射板１２の凹面側の両端にそれぞれ取り付けられている。主光源１４は、内蔵しているＬＥＤ群が発する光を照明光として出射する。主光源１４から出射された照明光は、直接、又は反射板１２での反射を経てカバー１３を透過し、周囲の空間を照明する。  
２つの副光源１５は、反射板１２の凹面側の中央に並んで取り付けられている。副光源１５は、内蔵しているＬＥＤ群が発する光を演出光として出射する。副光源１５から出射された演出光は、直接、又は反射板１２での反射を経てカバー１３に入射し、カバー１３を光らせる。  
なお、主光源１４及び副光源１５は細長いバータイプをなし、その長手方向が図１の奥行き方向に沿う。
【００１６】
図３は照明システム１００の電気的な回路構成を示すブロック図である。なお、複数の照明器具１はいずれも同一の構成を持つため、図３においては１つの照明器具１と照明制御装置２の構成を示している。
【００１７】
２つの主光源１４はいずれも、ＬＥＤ群１４ａ−Ｎ，１４ａ−Ｌ、電源回路１４ｂ−Ｎ，１４ｂ−Ｌ、ＰＷＭ（pulse width modulation）生成回路１４ｃ−Ｎ，１４ｃ−Ｌ及び通信インタフェース（ＩＦ）１４ｄ−Ｎ，１４ｄ−Ｌを備える。ただし図３においては、１つの主光源１４についての構成のみを図示している。  
ＬＥＤ群１４ａ−Ｎ，１４ａ−Ｌは、それぞれ多数のＬＥＤを含む。ＬＥＤ群１４ａ−Ｎに含まれるＬＥＤはそれぞれ昼白色の光を発する。ＬＥＤ群１４ａ−Ｌに含まれるＬＥＤはそれぞれ電球色の光を発する。  
電源回路１４ｂ−Ｎ，１４ｂ−Ｌは、ＬＥＤ群１４ａ−Ｎ，１４ａ−Ｌにそれぞれ接続される。電源回路１４ｂ−ＮはＬＥＤ群１４ａ−Ｎに対し、また電源回路１４ｂ−Ｌは、ＬＥＤ群１４ａ−Ｌに対し、そこに含まれたＬＥＤを発光させるための駆動電流を供給する。  
ＰＷＭ生成回路１４ｃ−Ｎ，１４ｃ−Ｌは、電源回路１４ｂ−Ｎ，１４ｂ−Ｌにそれぞれ接続される。ＰＷＭ生成回路１４ｃ−Ｎは、後述する白色設定データＤ２が表す発光状態でＬＥＤ群１４ａ−Ｎを発光させるためのＰＷＭ信号を生成し、電源回路１４ｂ−Ｎに供給する。ＰＷＭ生成回路１４ｃ−Ｌは、後述する電球色設定データＤ３が表す発光状態でＬＥＤ群１４ａ−Ｌを発光させるためのＰＷＭ信号を生成し、電源回路１４ｂ−Ｌに供給する。  
通信インタフェース１４ｄ−Ｎ，１４ｄ−Ｌは、ＰＷＭ生成回路１４ｃ−Ｎ，１４ｃ−Ｌにそれぞれ接続される。通信インタフェース１４ｄ−Ｎ，１４ｄ−Ｌは、自己に割り当てられた通信アドレスを宛先としてＬＡＮ１４を伝送されるデータを受信する。通信インタフェース１４ｄは、接続されたＰＷＭ生成回路１４ｃ−Ｎ，１４ｄ−Ｌへと、受信したデータを与える。
【００１８】
２つの副光源１５はいずれも、ＬＥＤ群１５ａ、電源回路１５ｂ、ＰＷＭ生成回路１５ｃ及び通信インタフェース１５ｄを備える。ただし図３においては、１つの副光源１５についての構成のみを図示している。  
ＬＥＤ群１５ａは、それぞれ青色の光を発する多数のＬＥＤを含む。  
電源回路１５ｂは、ＬＥＤ群１５ａに対し、このＬＥＤ群１５ａに含まれたＬＥＤのそれぞれを発光させるための駆動電流を供給する。  
ＰＷＭ生成回路１５ｃは、後述する青色設定データＤ４が表す発光状態でＬＥＤ群１５ａを発光させるためのＰＷＭ信号を生成し、電源回路１５ｂに供給する。  
通信インタフェース１５ｄは、自己に割り当てられた通信アドレスを宛先としてＬＡＮ１５を伝送されるデータを受信する。通信インタフェース１５ｄは、ＰＷＭ生成回路１５ｃへと、受信したデータを与える。
【００１９】
照明制御装置２は、プロセッサ２１、主記憶ユニット２２、補助記憶ユニット２３、ボタン群２４、表示器２５、通信インタフェース２６及びバス２７を備える。  
照明制御装置２においては、プロセッサ２１、主記憶ユニット２２及び補助記憶ユニット２３をバス２７で接続することによってコンピュータを構成する。  
プロセッサ２１は、上記コンピュータの中枢部分に相当する。プロセッサ２１は、オペレーティングシステムやアプリケーションプログラムに従って、後述する制御処理を実行する。  
主記憶ユニット２２は、上記コンピュータの主記憶部分に相当する。主記憶ユニット２２は、不揮発性のメモリ領域と揮発性のメモリ領域とを含む。主記憶ユニット２２は、不揮発性のメモリ領域ではオペレーティングシステムやアプリケーションプログラムを記憶する。また主記憶ユニット２２は、プロセッサ２１が各部を制御するための処理を実行する上で必要なデータを不揮発性又は揮発性のメモリ領域で記憶する場合もある。主記憶ユニット２２は、揮発性のメモリ領域を、プロセッサ２１によってデータが適宜書き換えられるワークエリアとして使用する。  
補助記憶ユニット２３は、上記コンピュータの補助記憶部分に相当する。補助記憶ユニット２３は、例えばＥＥＰＲＯＭ（electric erasable programmable read-only memory）などである。補助記憶ユニット２３は、例えばＨＤＤ（hard disk drive）又はＳＳＤ（solid state drive）などの別の記憶デバイスであっても良い。補助記憶ユニット２３は、プロセッサ２１が各種の処理を行う上で使用するデータや、プロセッサ２１での処理によって生成されたデータを保存する。補助記憶ユニット２３は、アプリケーションプログラムを記憶する。
【００２０】
主記憶ユニット２２又は補助記憶ユニット２３が記憶するアプリケーションプログラムには、後述する制御処理の手順を記述した制御プログラムを含む。この制御プログラムは、典型的には、照明制御装置２が使用者に譲渡されるに際して主記憶ユニット２２又は補助記憶ユニット２３に記憶される。しかし、照明制御装置２のハードウェアが、制御プログラムが主記憶ユニット２２又は補助記憶ユニット２３に記憶されない状態で使用者に譲渡されても良い。そして、使用者などの指示に応じて、制御プログラムが主記憶ユニット２２又は補助記憶ユニット２３に書き込まれても良い。この場合、制御プログラムは、磁気ディスク、光磁気ディスク、光ディスク、半導体メモリなどのようなリムーバブルな記録媒体に記録して、あるいはネットワークを介したダウンロードにより使用者に譲渡されて良い。
【００２１】
ボタン群２４は、複数のボタンを含む。これらのボタンは、照明器具１の制御に関わる各種の操作のために操作者により押される。  
表示器２５は、照明器具１の点灯状態などの操作者に報知すべき情報をプロセッサ２１の制御の下に表示する。  
通信インタフェース２６は、プロセッサ２１からの指示の下に、後述する各種の設定データを照明器具１に送信する。
【００２２】
さて、補助記憶ユニット２３には、設定データテーブル２３ａが設けられている。  
図４は設定データテーブル２３ａに含まれるデータレコードＲ１の構成を示す図である。  
設定データテーブル２３ａは、多数のデータレコードＲ１の集合である。データレコードＲ１は、色温度データＤ１に関連付けて、白色設定データＤ２、電球色設定データＤ３及び青色設定データＤ４を記述している。色温度データＤ１は、色温度の値又は色温度を識別するコードを示す。各設定データＤ２，Ｄ３，Ｄ４は、ＬＥＤ群を所望の点灯状態で発光させるためのＰＷＭ信号の条件を表す。
【００２３】
次に以上のように構成された照明システム１００の動作について説明する。  
照明器具１及び照明制御装置２は、例えば商用電源の供給を受けて動作する。そしてプロセッサ２１は、商用電源が供給されている状態においては、主記憶ユニット２２又は補助記憶ユニット２３に記憶された制御プログラムに基づく制御処理を常に実行する。  
図５はプロセッサ２１による制御処理のフローチャートである。なお、以下に説明する処理の内容は一例であって、同様な結果を得ることが可能な様々な処理を適宜に利用できる。つまり例えば、一部の処理の順番を入れ替える等することが可能である。
【００２４】
ステップＳａ１においてプロセッサ２１は、予め定められた色変更条件が成立するのを待ち受ける。一例としてプロセッサ２１は、色温度を変更するための操作がボタン群２４で行われるのを待ち受ける。そしてプロセッサ２１は、該当する操作が行われたならば色変更条件が成立したとしてＹｅｓと判定し、ステップＳａ２へと進む。  
ステップＳａ２においてプロセッサ２１は、色温度を変更させる対象の照明器具１を判定する。一例としてプロセッサ２１は、照明器具１を指定するための操作者によるボタン群２４の操作に基づいて対象の照明器具１を判定する。
【００２５】
ステップＳａ３においてプロセッサ２１は、変更後の色温度を設定する。一例としてプロセッサ２１は、照明器具１を指定するための操作者によるボタン群２４の操作による色温度の入力を受けることで色温度を取得し、これを変更後の色温度とする。かくして制御プログラムに基づく制御処理をプロセッサ２１が実行することによって、プロセッサ２１を中枢部分とするコンピュータは、照明光の色温度を設定する設定手段として機能する。
【００２６】
ステップＳａ４においてプロセッサ２１は、白色変更データを送信する。プロセッサ２１は具体的には、ステップＳａ３で取得した色温度に該当する色温度データＤ１を含んだデータレコードＲ１に記述された白色設定データＤ２を設定データテーブル２３ａから取得する。プロセッサ２１は、当該白色設定データＤ２を含み、ステップＳａ２で判定した照明器具１の２つの主光源１４にそれぞれ設けられた通信インタフェース１４ｄ−Ｎのそれぞれの通信アドレスを宛先とした伝送データとして白色変更データを生成する。そしてプロセッサ２１は、このように生成した白色変更データを、通信インタフェース２６からＬＡＮ３へと送出する。プロセッサ２１は、２つの通信インタフェース１４ｄ−Ｎのそれぞれについての２つの通信アドレスを個別に宛先とした２つの白色変更データを生成しても良いし、上記２つの通信アドレスの双方を宛先とした１つの白色変更データを生成しても良い。  
この白色変更データが、宛先となっている通信アドレスが割り当てられた通信インタフェース１４ｄ−ＮへとＬＡＮ３により伝送されると、通信インタフェース１４ｄ−Ｎが当該白色変更データを受信する。通信インタフェース１４ｄ−Ｎは、受信した色変更データに含まれる白色設定データＤ２を、ＰＷＭ生成回路１４ｃ−Ｎに設けられた記憶部に書き込む。  
ＰＷＭ生成回路１４ｃ−Ｎは、照明器具１が点灯すべき状態であるときには、記憶部が記憶している白色設定データＤ２で示される条件でＰＷＭ信号を生成する。電源回路１４ｂ−Ｎは、照明器具１が点灯すべき状態であるときには、ＬＥＤ群１４ａ−Ｎに対して常に駆動電流を供給する。ただし電源回路１４ｂ−Ｎは、ＰＷＭ生成回路１４ｃ−Ｎが生成したＰＷＭ信号に基づいたＰＷＭ制御により駆動電流の大きさを制御することで、ＬＥＤ群１４ａ−Ｎの発光強度を調整する。これにより、ＬＥＤ群１４ａ−Ｎは、白色設定データＤ２に応じた強度の光を発する。
【００２７】
ステップＳａ５においてプロセッサ２１は、電球色変更データを送信する。プロセッサ２１は具体的には、ステップＳａ３で取得した色温度に該当する色温度データＤ１を含んだデータレコードＲ１に記述された電球色設定データＤ３を設定データテーブル２３ａから取得する。プロセッサ２１は、当該電球色設定データＤ３を含み、ステップＳａ２で判定した照明器具１の２つの主光源１４にそれぞれ設けられた通信インタフェース１４ｄ−Ｌのそれぞれの通信アドレスを宛先とした伝送データとして電球色変更データを生成する。そしてプロセッサ２１は、このように生成した電球色変更データを、通信インタフェース２６からＬＡＮ３へと送出する。プロセッサ２１は、白色変更データと同様、２つの通信アドレスを個別に宛先とした２つの電球色変更データを生成しても良いし、上記２つの通信アドレスの双方を宛先とした１つの電球色変更データを生成しても良い。  
この電球色変更データが、宛先となっている通信アドレスが割り当てられた通信インタフェース１４ｄ−ＬへとＬＡＮ３により伝送されると、通信インタフェース１４ｄ−Ｌが当該電球色変更データを受信する。そして通信インタフェース１４ｄ−Ｌ、ＰＷＭ生成回路１４ｃ−Ｌ及び電源回路１４ｂ−Ｌは、前述した通信インタフェース１４ｄ−Ｎ、ＰＷＭ生成回路１４ｃ−Ｎ及び電源回路１４ｂ−Ｎの動作と同様な動作を行う。これにより、ＬＥＤ群１４ａ−Ｌは、電球色設定データＤ３に応じた強度の光を発する。
【００２８】
ＬＥＤ群１４ａ−Ｎが発する昼白色の光と、ＬＥＤ群１４ａ−Ｌが発する電球色の光とが混じり合った光が照明光となる。照明光の色温度は、ＬＥＤ群１４ａ−Ｎが発する光の強度とＬＥＤ群１４ａ−Ｌが発する光の強度との比率により決まる。白色設定データＤ２及び電球色設定データＤ３は、上記の強度の比率が、関連付けられる色温度が得られる比率となるように、例えば照明器具１又は照明制御装置２の設計者等により定められる。
【００２９】
このようにして、２つの主光源１４は同時に、同様な強度及び色温度の照明光を発する。これら照明光は、カバー１３を透過し、周囲を照明する。  
かくして制御プログラムに基づく制御処理をプロセッサ２１が実行することによって、プロセッサ２１を中枢部分とするコンピュータは、設定された色温度に基づいて主光源１４の発光条件を決定しているのであり、第１の決定手段として機能する。
【００３０】
ステップＳａ６においてプロセッサ２１は、青色変更データを送信する。プロセッサ２１は具体的には、ステップＳａ３で取得した色温度に該当する色温度データＤ１を含んだデータレコードＲ１に記述された青色設定データＤ４を設定データテーブル２３ａから取得する。プロセッサ２１は、当該青色設定データＤ４を含み、ステップＳａ２で判定した照明器具１の２つの副光源１５にそれぞれ設けられた通信インタフェース１５ｄのそれぞれの通信アドレスを宛先とした伝送データとして青色変更データを生成する。そしてプロセッサ２１は、このように生成した青色変更データを、通信インタフェース２６からＬＡＮ３へと送出する。プロセッサ２１は、白色変更データと同様、２つの通信アドレスを個別に宛先とした２つの青色変更データを生成しても良いし、上記２つの通信アドレスの双方を宛先とした１つの青色変更データを生成しても良い。  
この青色変更データが、宛先となっている通信アドレスが割り当てられた通信インタフェース１５ｄへとＬＡＮ３により伝送されると、通信インタフェース１５ｄが当該青色変更データを受信する。そして通信インタフェース１５ｄ、ＰＷＭ生成回路１５ｃ及び電源回路１５ｂは、前述した通信インタフェース１４ｄ−Ｎ、ＰＷＭ生成回路１４ｃ−Ｎ及び電源回路１４ｂ−Ｎの動作と同様な動作を行う。これにより、ＬＥＤ群１５ａは、青色設定データＤ４に応じた強度の青色光を発する。
【００３１】
このようにして、２つの副光源１５は同時に、同様な強度の青色の演出光を発する。これら演出光は、カバー１３に入射する。  
かくして制御プログラムに基づく制御処理をプロセッサ２１が実行することによって、プロセッサ２１を中枢部分とするコンピュータは、設定された色温度に基づいて副光源１５の発光条件を決定しているのであり、第２の決定手段として機能する。  
またプロセッサ２１を中枢部分とするコンピュータと通信インタフェース２６との協働により、通知手段としての機能が実現される。
【００３２】
カバー１３が、入射する光を透過すると共に、この光の一部を散乱させることにより、カバー１３自体が光って見えるようになる。カバー１３には、２つの主光源１４が発した照明光及び２つの副光源１５が発した演出光のいずれもが入射し、それらを散乱させるから、カバー１３の見た目の色は、照明光の色及び演出光の色の混合色となる。そして図２から分かるように、主光源１４はカバー１３の両端に近く、副光源１５はカバー１３の中央に近い。このため、照明光に対する演出光の強度比は、カバー１３の中央ほど高くなる。この結果、カバー１３の見た目の色は、中央から両端に向かうにしたがって青色の濃度が徐々に低下するグラデーションとなる。  
図６はカバー１３の見た目の色の様子を示す図である。
【００３３】
青色設定データＤ４は、演出光の強度が、主としてカバー１３を光らせ、かつ上記のグラデーションが適切に現れる程度となるように、例えば照明器具１又は照明制御装置２の設計者等により定められる。例えば、青色設定データＤ４を適切に定めることによって、照明光が昼白色である場合のカバー１３の見た目の色を、中央の空色から両端に向かって徐々に白色に近づくグラデーションとすることができる。また、照明光が電球色である場合のカバー１３の見た目の色を、中央の紫色から両端に向かって徐々に黄色に近づくグラデーションとすることができる。  
なおプロセッサ２１は、ステップＳａ６にて青色変更データを送信し終えたならば、ステップＳａ１の待ち受け状態に戻る。
【００３４】
以上のように第１の実施形態によれば、カバー１３の見た目の色にグラデーションを生じさせるための主光源１４及び副光源１５の発光条件に関して記述した設定データテーブル２３ａを照明制御装置２において記憶する。そして色温度を変更する必要が生じた照明器具１に対して、主光源１４及び副光源１５の発光条件を照明制御装置２から通知する。かくして、設定データテーブル２３ａを照明器具１の個々に保持させる必要が無い。この結果、設定データテーブル２３ａを記憶する記憶デバイスを照明器具１に設ける場合に比べて、照明器具のコストダウンを図れる。また、主光源１４及び副光源１５の発光条件を変更したい場合は、照明制御装置２に記憶された設定データテーブル２３ａのみを更新すれば良く、照明器具１に個々に記憶された設定データテーブル２３ａをそれぞれ更新するのに比べて簡易となる。
【００３５】
（第２の実施形態）
照明システム１００が第２の実施形態において第１の実施形態と異なる点は、２つの副光源１５に代えて２つの副光源１６を備える点である。
【００３６】
図７は副光源１６の回路構成を示すブロック図である。ただし図７においては、１つの副光源１６についての構成のみを図示している。  
副光源１６は、ＬＥＤ群１６ａ−Ｒ，１６ａ−Ｇ，１６ａ−Ｂ、電源回路１６ｂ−Ｒ，１６ｂ−Ｇ，１６ｂ−Ｂ、ＰＷＭ生成回路１６ｃ−Ｒ，１６ｃ−Ｇ，１６ｃ−Ｂ及び通信インタフェース１６ｄ−Ｒ，１６ｄ−Ｇ，１６ｄ−Ｂを備える。  
ＬＥＤ群１６ａ−Ｒ，１６ａ−Ｇ，１６ａ−Ｂは、それぞれ多数のＬＥＤを含む。ＬＥＤ群１６ａ−Ｒに含まれるＬＥＤはそれぞれ赤色の光を発する。ＬＥＤ群１６ａ−Ｇに含まれるＬＥＤはそれぞれ緑色の光を発する。ＬＥＤ群１６ａ−Ｂに含まれるＬＥＤはそれぞれ青色の光を発する。  
電源回路１６ｂ−Ｒ，１６ｂ−Ｇ，１６ｂ−Ｂは、第１の実施形態における電源回路１６ｂと同様な機能を持つ。ＰＷＭ生成回路１６ｃ−Ｒ，１６ｃ−Ｇ，１６ｃ−Ｂは、第１の実施形態におけるＰＷＭ生成回路１６ｃと同様な機能を持つ。通信インタフェース１６ｄ−Ｒ，１６ｄ−Ｇ，１６ｄ−Ｂは、第１の実施形態における通信インタフェース１６ｄと同様な機能を持つ。そして電源回路１６ｂ−Ｒ、ＰＷＭ生成回路１６ｃ−Ｒ及び通信インタフェース１６ｄ−Ｒにより、照明制御装置２から送られる設定データに従ってＬＥＤ群１６ａ−Ｒを発光させるための回路を構成している。電源回路１６ｂ−Ｇ、ＰＷＭ生成回路１６ｃ−Ｇ及び通信インタフェース１６ｄ−Ｇにより、照明制御装置２から送られる設定データに従ってＬＥＤ群１６ａ−Ｇを発光させるための回路を構成している。電源回路１６ｂ−Ｂ、ＰＷＭ生成回路１６ｃ−Ｂ及び通信インタフェース１６ｄ−Ｂにより、照明制御装置２から送られる設定データに従ってＬＥＤ群１６ａ−Ｂを発光させるための回路を構成している。
【００３７】
照明制御装置２は、第２実施形態においても第１実施形態と同様な構成であって良い。  
ただし第２の実施形態における照明制御装置２は、設定データテーブル２３ａの構造が第１の実施形態とは異なる。また第２の実施形態における照明制御装置２は、プロセッサ２１が実行する制御処理の内容が第１の実施形態とは異なる。
【００３８】
図８は設定データテーブル２３ａに第２の実施形態において含まれるデータレコードＲ２の構成を示す図である。  
第２の実施形態における設定データテーブル２３ａは、多数のデータレコードＲ２の集合である。データレコードＲ２は、色温度データＤ１に関連付けて、白色設定データＤ２、電球色設定データＤ３、赤色設定データＤ１１、緑色設定データＤ１２及び青色設定データＤ１３を記述したものである。各設定データは、ＬＥＤ群を所望の点灯状態で発光させるためのＰＷＭ信号の条件を表す。
【００３９】
次に以上のように構成された第２の実施形態における照明システム１００の動作について説明する。  
図９はプロセッサ２１による第２の実施形態における制御処理のフローチャートである。なお、以下に説明する処理の内容は一例であって、同様な結果を得ることが可能な様々な処理を適宜に利用できる。つまり例えば、一部の処理の順番を入れ替える等することが可能である。また、図９において図５に示されるステップと同じ処理を行うステップについては同一の符号を付し、その詳細な説明は省略する。  
プロセッサ２１は、第２の実施形態においても、ステップＳａ１〜ステップＳａ５については第１の実施形態と同様にして行う。つまり主光源１４の発光状態の変更のためのプロセッサ２１の処理は、第１及び第２の実施形態で同様である。ただしプロセッサ２１は、白色設定データＤ２及び電球色設定データＤ３を、ステップＳａ３で取得した色温度に該当する色温度データＤ１を含んだデータレコードＲ２から取得する。
【００４０】
プロセッサ２１は、ステップＳａ５における電球色変更データの送信を終えたならば、ステップＳｂ１へと進む。  
ステップＳｂ１においてプロセッサ２１は、赤色変更データを送信する。プロセッサ２１は具体的には、ステップＳａ３で取得した色温度に該当する色温度データＤ１を含んだデータレコードＲ２に記述された赤色設定データＤ１１を設定データテーブル２３ａから取得する。プロセッサ２１は、当該赤色設定データＤ１１を含み、ステップＳａ２で判定した照明器具１の２つの副光源１６にそれぞれ設けられた通信インタフェース１６ｄ−Ｒのそれぞれの通信アドレスを宛先とした伝送データとして赤色変更データを生成する。そしてプロセッサ２１は、このように生成した赤色変更データを、通信インタフェース２６からＬＡＮ３へと送出する。プロセッサ２１は、第１の実施形態において白色変更データについて述べたのと同様にして、２つの通信アドレスを個別に宛先とした２つの赤色変更データを生成しても良いし、上記２つの通信アドレスの双方を宛先とした１つの赤色変更データを生成しても良い。  
赤色変更データが、宛先となっている通信アドレスが割り当てられた通信インタフェース１６ｄ−ＲへとＬＡＮ３により伝送されると、通信インタフェース１６ｄ−Ｒが当該赤色変更データを受信する。そして通信インタフェース１６ｄ−Ｒ、ＰＷＭ生成回路１６ｃ−Ｒ及び電源回路１６ｂ−Ｒは、第１の実施形態で説明した通信インタフェース１４ｄ−Ｎ、ＰＷＭ生成回路１４ｃ−Ｎ及び電源回路１４ｂ−Ｎの動作と同様な動作を行う。これにより、ＬＥＤ群１６ａ−Ｂは、赤色設定データＤ１１に応じた強度の赤色光を発する。
【００４１】
ステップＳｂ２においてプロセッサ２１は、緑色変更データを送信する。プロセッサ２１は具体的には、ステップＳａ３で取得した色温度に該当する色温度データＤ１を含んだデータレコードＲ２に記述された緑色設定データＤ１２を設定データテーブル２３ａから取得する。プロセッサ２１は、当該緑色設定データＤ１２を含み、ステップＳａ２で判定した照明器具１の２つの副光源１６にそれぞれ設けられた通信インタフェース１６ｄ−Ｇのそれぞれの通信アドレスを宛先とした伝送データとして赤色変更データを生成する。そしてプロセッサ２１は、このように生成した緑色変更データを、通信インタフェース２６からＬＡＮ３へと送出する。プロセッサ２１は、第１の実施形態において白色変更データについて述べたのと同様にして、２つの通信アドレスを個別に宛先とした２つの緑色変更データを生成しても良いし、上記２つの通信アドレスの双方を宛先とした１つの緑色変更データを生成しても良い。  
緑色変更データが、宛先となっている通信アドレスが割り当てられた通信インタフェース１６ｄ−ＧへとＬＡＮ３により伝送されると、通信インタフェース１６ｄ−Ｇが当該緑色変更データを受信する。そして通信インタフェース１６ｄ−Ｇ、ＰＷＭ生成回路１６ｃ−Ｇ及び電源回路１６ｂ−Ｇは、第１の実施形態で説明した通信インタフェース１４ｄ−Ｎ、ＰＷＭ生成回路１４ｃ−Ｎ及び電源回路１４ｂ−Ｎの動作と同様な動作を行う。これにより、ＬＥＤ群１６ａ−Ｇは、緑色設定データＤ１２に応じた強度の緑色光を発する。
【００４２】
ステップＳｂ３においてプロセッサ２１は、青色変更データを送信する。プロセッサ２１は具体的には、ステップＳａ３で取得した色温度に該当する色温度データＤ１を含んだデータレコードＲ２に記述された青色設定データＤ１３を設定データテーブル２３ａから取得する。プロセッサ２１は、当該青色設定データＤ１３を含み、ステップＳａ２で判定した照明器具１の２つの副光源１６にそれぞれ設けられた通信インタフェース１６ｄ−Ｂのそれぞれの通信アドレスを宛先とした伝送データとして青色変更データを生成する。そしてプロセッサ２１は、このように生成した青色変更データを、通信インタフェース２６からＬＡＮ３へと送出する。プロセッサ２１は、第１の実施形態において白色変更データについて述べたのと同様にして、２つの通信アドレスを個別に宛先とした２つの青色変更データを生成しても良いし、上記２つの通信アドレスの双方を宛先とした１つの青色変更データを生成しても良い。  
青色変更データが、宛先となっている通信アドレスが割り当てられた通信インタフェース１６ｄ−ＢへとＬＡＮ３により伝送されると、通信インタフェース１６ｄ−Ｂが当該青色変更データを受信する。そして通信インタフェース１６ｄ−Ｂ、ＰＷＭ生成回路１６ｃ−Ｂ及び電源回路１６ｂ−ｂは、第１の実施形態で説明した通信インタフェース１４ｄ−Ｎ、ＰＷＭ生成回路１４ｃ−Ｎ及び電源回路１４ｂ−Ｎの動作と同様な動作を行う。これにより、ＬＥＤ群１６ａ−Ｂは、青色設定データＤ１３に応じた強度の青色光を発する。
【００４３】
ＬＥＤ群１６ａ−Ｒ，１６ａ−Ｇ，１６ａ−Ｂがそれぞれ発する赤色光、緑色光及び青色光が混じり合った光が演出光となる。演出光の色は、赤色光、緑色光及び青色光のそれぞれの強度の比率により決まる。
【００４４】
このようにして、２つの副光源１６は同時に、同様な演出光を発する。これら演出光は、カバー１３に入射する。
【００４５】
この第２実施形態おいても、照明光と演出光との相互作用により、カバー１３の見た目の色にグラデーションを生じさせることができる。そして第２の実施形態では、演出光の色を様々に変化させることが可能であるから、グラデーションの色を任意に定めることができる。  
そして第２の実施形態においても、主光源１４及び副光源１６の発光条件を照明制御装置２から通知する。従って、第１の実施形態についての前述した効果は、第２の実施形態においても同様に達成できる。
【００４６】
（第３の実施形態）
図１０は第３の実施形態に係る照明システム２００の施工例を示す図である。なお、この第３の実施形態においては、第１又は第２の実施形態に記載した要素と同一の要素に対しては同一の符号を付し、その詳細な説明は省略する。
【００４７】
照明システム２００は、ＬＡＮ３、１つ又は複数の照明器具４及び照明制御装置５を含む。ただし図１０では２つの照明器具４を図示している。  
照明器具４は、いずれも天井Ｃに取り付けられている。照明器具４は、部屋Ｒ内を照明する。  
照明制御装置５は、側壁Ｗ３に取り付けられている。照明制御装置５は、使用者による操作を受けて照明器具４の点灯状態を制御する。
【００４８】
図１１は照明器具４の構造を一部破断して示す図である。  
照明器具４は、筐体１１、２つの主光源１４、２つの副光源１６、反射板１７、カバー１８及び表示器１９を備える。  
反射板１７は、例えばアルミ又はスチール等の金属製であり、断面形状がアーチ形をなしている。反射板１２の凹面側は、高効率で光を反射する反射面とするように、例えば白色塗装されている。反射板１２の材料としては、好適には白色鋼板を採用することができる。反射板１２は、反射面を筐体１１の開口面に向けて筐体１１の内部に固定されている。反射板１７の凹面側には、２つの主光源１４及び２つの副光源１６が取り付けられる。主光源１４及び副光源１６の長手方向は、図１１の奥行き方向に沿う。  
カバー１８は、例えばアクリル製である。カバー１８は、２つの主光源１４及び２つの副光源１６の配列方向についての中央に、主光源１４及び副光源１６の長手方向に沿った細長い窓１８ａが形成されている。窓１８ａは透明であり、光をほとんど散乱させずに透過する。カバー１８の窓１８ａ以外の領域１８ｂは、例えば乳白色であり、光を散乱させつつ透過する。本実施形態においては、カバー１８の断面形状をアーチ形としている。そしてカバー１８は、凹面側を下方に向けて筐体１１の開口面を塞ぐ状態で筐体１１に取り付けられている。  
表示器１９は、その表示面が窓１８ａに対向する状態で筐体１１の内部に配置される。表示器１９は、表示面に任意の画像を表示する。
【００４９】
図１２は照明システム２００の電気的な回路構成を示すブロック図である。なお、複数の照明器具４はいずれも同一の構成を持つため、図１２においては１つの照明器具４と照明制御装置５の構成を示している。
【００５０】
照明器具４が備える表示器１９は、表示パネル１９ａ、表示制御部１９ｂ及び通信インタフェース１９ｃをさらに含む。
【００５１】
表示パネル１９ａは、任意の画像を形成する。表示パネル１９ａとしては、例えば液晶表示パネルが利用できる。この表示パネル１９ａは、表示手段の一例である。ただし表示手段としては、窓１８ａに映像を投射するプロジェクタ等を採用することもできる。表示制御部１９ｂは、照明制御装置５から与えられる画像データが示す画像を形成するように表示パネル１９ａを制御する。通信インタフェース１９ｃは、自己に割り当てられた通信アドレスを宛先としてＬＡＮ３を伝送されるデータを受信する。通信インタフェース１９ｃは、表示制御部１９ｂへと受信したデータを与える。
【００５２】
照明制御装置５は、プロセッサ２１、主記憶ユニット２２、補助記憶ユニット２３、ボタン群２４、表示器２５、通信インタフェース２６及びバス２７を備える。すなわち照明制御装置５は、ハードウェア構成としては第１の実施形態における照明制御装置２と同様である。しかしながら補助記憶ユニット２３には、第１の実施形態における設定データテーブル２３ａに代えて、画像データベース２３ｂ及び設定データテーブル２３ｃ，２３ｄを設ける。また、主記憶ユニット２２又は補助記憶ユニット２３に記憶された制御プログラムは、後述する制御処理について記述したものとなっている。
【００５３】
画像データベース２３ｂは、表示器１９で表示する画像を表した画像データを記憶する。画像データベース２３ｂは、それぞれに個別の画像コードが付与された複数の画像データを記憶可能である。かくして補助記憶ユニット２３は、複数の画像データを記憶する記憶手段としての機能を備える。  
プロセッサ２１は、通信インタフェース２６により、ＬＡＮ３、ルータ３００及び通信ネットワーク４００を介してコンテンツサーバ５００から画像データを取得し、当該画像データを画像データベース２３ｂに記憶させることができる。この際にプロセッサ２１は、新たに取得した画像データを、既に記憶されている画像データに加えて画像データベース２３ｂに記憶させる。ただし、予め定められた条件に従って、既に記憶されている画像データを削除しても良い。例えばプロセッサ２１は、ボタン群２４での操作により指定された画像データを画像データベース２３ｂから削除する。あるいは例えばプロセッサ２１は、画像データベース２３ｂに画像データを追加したタイミングを記録しておき、画像データベース２３ｂに最も古く追加された画像データを削除する。あるいは例えばプロセッサ２１は、表示器１９での表示に用いられる頻度を測定しておき、この頻度が低い画像データを削除する。なお、プロセッサ２１は、この画像データの削除を、新たな画像データを画像データベース２３ｂに追加することによって画像データベース２３ｂのデータ量が許容されるデータ量よりも大きくなってしまう場合に限って行っても良い。
【００５４】
図１３は設定データテーブル２３ｃに含まれるデータレコードＲ３の構成を示す図である。  
設定データテーブル２３ｃは、多数のデータレコードＲ３の集合である。データレコードＲ３は、色温度データＤ１に関連付けて、白色設定データＤ２及び電球色設定データＤ３を記述したものである。つまりデータレコードＲ３は、第１の実施形態におけるデータレコードＲ１から青色設定データＤ４を除いたものとなっている。
【００５５】
図１４は設定データテーブル２３ｄに含まれるデータレコードＲ４の構成を示す図である。  
設定データテーブル２３ｄは、複数のデータレコードＲ４の集合である。データレコードＲ４は、画像コードＤ２１に関連付けて、赤色設定データＤ２２、緑色設定データＤ２３及び青色設定データＤ２４を記述したものである。各設定データは、副光源１６のＬＥＤ群１６ａ−Ｒ，１６ａ−Ｇ，１６ａ−Ｂを所望の点灯状態で発光させるためのＰＷＭ信号の条件を表す。
【００５６】
次に以上のように構成された照明システム２００の動作について説明する。  
プロセッサ２１は、商用電源が供給されている状態においては、主記憶ユニット２２又は補助記憶ユニット２３に記憶された制御プログラムに基づく制御処理を常に実行する。
【００５７】
図１５はプロセッサ２１による第３の実施形態における制御処理のフローチャートである。なお、以下に説明する処理の内容は一例であって、同様な結果を得ることが可能な様々な処理を適宜に利用できる。つまり例えば、一部の処理の順番を入れ替える等することが可能である。また、図１５において図５に示されるステップと同じ処理を行うステップについては同一の符号を付し、その詳細な説明は省略する。  
プロセッサ２１は、ステップＳａ１の判断を第１の実施形態と同様に行う。そしてプロセッサ２１は、色変更条件が成立しないためにＮｏと判定したならば、ステップＳｃ１へと進む。  
ステップＳｃ１においてプロセッサ２１は、画像変更条件が成立したか否かを確認する。一例としてプロセッサ２１は、表示画像を変更するための操作がボタン群２４で行われたか否かを確認する。そしてプロセッサ２１は、画像変更条件が成立しないためにＮｏと判定したならば、ステップＳａ１へと戻る。  
かくしてプロセッサ２１はステップＳａ１及びステップＳｃ１においては、色変更条件又は画像変更条件が成立するのを待ち受ける。
【００５８】
プロセッサ２１は、色変更条件が成立したためにステップＳａ１でＹｅｓと判定したならば、ステップＳａ２へと進む。そしてプロセッサ２１は、ステップＳａ２〜ステップＳａ５を第１の実施形態と同様にして行う。つまり主光源１４の発光状態の変更のためのプロセッサ２１の処理は、第１及び第３の実施形態で同様である。ただしプロセッサ２１は、白色設定データＤ２及び電球色設定データＤ３を、ステップＳａ３で取得した色温度に該当する色温度データＤ１を含んだデータレコードＲ３から取得する。
【００５９】
プロセッサ２１は、画像変更条件が成立したためにステップＳｃ１でＹｅｓと判定したならば、ステップＳｃ２へと進む。  
ステップＳｃ２においてプロセッサ２１は、表示画像を変更させる対象の照明器具１を判定する。一例としてプロセッサ２１は、照明器具１を指定するための操作者によるボタン群２４の操作に基づいて対象の照明器具１を判定する。
【００６０】
ステップＳｃ３においてプロセッサ２１は、新たに表示する画像を判定する。一例としてプロセッサ２１は、表示する画像を指定するための操作者によるボタン群２４の操作に基づいて、新たに表示する画像を判定する。かくして制御プログラムに基づく制御処理をプロセッサ２１が実行することによって、プロセッサ２１を中枢部分とするコンピュータは、複数の画像データの中から１つの画像データを選択する選択手段として機能する。
【００６１】
ステップＳｃ４においてプロセッサ２１は、赤色変更データを送信する。プロセッサ２１は具体的には、ステップＳｃ３で判定した画像に付与された画像コードＤ２１を含んだデータレコードＲ４に記述された赤色設定データＤ２２を設定データテーブル２３ｄから取得する。プロセッサ２１は、当該赤色設定データＤ２２を含み、ステップＳｃ２で判定した照明器具１の２つの副光源１６にそれぞれ設けられた通信インタフェース１６ｄ−Ｒのそれぞれの通信アドレスを宛先とした伝送データとして赤色変更データを生成する。そしてプロセッサ２１は、このように生成した赤色変更データを、通信インタフェース２６からＬＡＮ３へと送出する。プロセッサ２１は、第１の実施形態において白色変更データについて述べたのと同様にして、２つの通信アドレスを個別に宛先とした２つの赤色変更データを生成しても良いし、上記２つの通信アドレスの双方を宛先とした１つの赤色変更データを生成しても良い。  
赤色変更データが、宛先となっている通信アドレスが割り当てられた通信インタフェース１６ｄ−ＲへとＬＡＮ３により伝送されると、通信インタフェース１６ｄ−Ｒが当該赤色変更データを受信する。そして通信インタフェース１６ｄ−Ｒ、ＰＷＭ生成回路１６ｃ−Ｒ及び電源回路１６ｂ−Ｒは、第１の実施形態で説明した通信インタフェース１４ｄ−Ｎ、ＰＷＭ生成回路１４ｃ−Ｎ及び電源回路１４ｂ−Ｎの動作と同様な動作を行う。これにより、ＬＥＤ群１６ａ−Ｒは、赤色設定データＤ２２に応じた強度の赤色光を発する。
【００６２】
ステップＳｃ５においてプロセッサ２１は、緑色変更データを送信する。プロセッサ２１は具体的には、ステップＳｃ３で判定した画像に付与された画像コードＤ２１を含んだデータレコードＲ４に記述された緑色設定データＤ２３を設定データテーブル２３ｄから取得する。プロセッサ２１は、当該緑色設定データＤ２３を含み、ステップＳｃ２で判定した照明器具１の２つの副光源１６にそれぞれ設けられた通信インタフェース１６ｄ−Ｇのそれぞれの通信アドレスを宛先とした伝送データとして緑色変更データを生成する。そしてプロセッサ２１は、このように生成した緑色変更データを、通信インタフェース２６からＬＡＮ３へと送出する。プロセッサ２１は、第１の実施形態において白色変更データについて述べたのと同様にして、２つの通信アドレスを個別に宛先とした２つの緑色変更データを生成しても良いし、上記２つの通信アドレスの双方を宛先とした１つの緑色変更データを生成しても良い。  
緑色変更データが、宛先となっている通信アドレスが割り当てられた通信インタフェース１６ｄ−ＧへとＬＡＮ３により伝送されると、通信インタフェース１６ｄ−Ｇが当該緑色変更データを受信する。そして通信インタフェース１６ｄ−Ｇ、ＰＷＭ生成回路１６ｃ−Ｇ及び電源回路１６ｂ−Ｇは、第１の実施形態で説明した通信インタフェース１４ｄ−Ｎ、ＰＷＭ生成回路１４ｃ−Ｎ及び電源回路１４ｂ−Ｎの動作と同様な動作を行う。これにより、ＬＥＤ群１６ａ−Ｇは、緑色設定データＤ２３に応じた強度の緑色光を発する。
【００６３】
ステップＳｃ６においてプロセッサ２１は、青色変更データを送信する。プロセッサ２１は具体的には、ステップＳｃ３で判定した画像に付与された画像コードＤ２１を含んだデータレコードＲ４に記述された青色設定データＤ２４を設定データテーブル２３ｄから取得する。プロセッサ２１は、当該青色設定データＤ２４を含み、ステップＳｃ２で判定した照明器具１の２つの副光源１６にそれぞれ設けられた通信インタフェース１６ｄ−Ｂのそれぞれの通信アドレスを宛先とした伝送データとして青色変更データを生成する。そしてプロセッサ２１は、このように生成した青色変更データを、通信インタフェース２６からＬＡＮ３へと送出する。プロセッサ２１は、第１の実施形態において白色変更データについて述べたのと同様にして、２つの通信アドレスを個別に宛先とした２つの青色変更データを生成しても良いし、上記２つの通信アドレスの双方を宛先とした１つの青色変更データを生成しても良い。  
青色変更データが、宛先となっている通信アドレスが割り当てられた通信インタフェース１６ｄ−ＢへとＬＡＮ３により伝送されると、通信インタフェース１６ｄ−Ｂが当該青色変更データを受信する。そして通信インタフェース１６ｄ−Ｂ、ＰＷＭ生成回路１６ｃ−Ｂ及び電源回路１６ｂ−ｂは、第１の実施形態で説明した通信インタフェース１４ｄ−Ｎ、ＰＷＭ生成回路１４ｃ−Ｎ及び電源回路１４ｂ−Ｎの動作と同様な動作を行う。これにより、ＬＥＤ群１６ａ−Ｂは、青色設定データＤ２４に応じた強度の青色光を発する。
【００６４】
さて、ＬＥＤ群１６ａ−Ｒ，１６ａ−Ｇ，１６ａ−Ｂがそれぞれ発する赤色光、緑色光及び青色光が混じり合った光が演出光となる。演出光の色は、赤色光、緑色光及び青色光のそれぞれの強度の比率により決まる。  
このようにして、２つの副光源１６は同時に、同様な演出光を発する。これら演出光は、カバー１８に入射する。
【００６５】
ステップＳｃ７においてプロセッサ２１は、ステップＳｃ３で判定した画像の画像データを画像データベース２３ｂから読み出す。そしてプロセッサ２１は、当該画像データを含み、ステップＳｃ２で判定した照明器具１の通信インタフェース１９ｃの通信アドレスを宛先とした伝送データとして画像変更データを生成する。そしてプロセッサ２１は、このように生成した画像変更データを、通信インタフェース２６からＬＡＮ３へと送出する。そしてプロセッサ２１は、画像変更データを送出し終えたならば、ステップＳａ１及びステップＳｃ１の待ち受け状態に戻る。  
画像変更データが、宛先となっている通信アドレスが割り当てられた通信インタフェース１９ｃへとＬＡＮ３により伝送されると、通信インタフェース１９ｃが当該画像変更データを受信する。通信インタフェース１９ｃは、受信した画像変更データに含まれる画像データを、表示制御部１９ｂに設けられた記憶部に書き込む。かくして、照明制御装置２のプロセッサ２１は、画像変更データを送信することによって画像データを照明器具１に取得させていることとなる。したがって制御プログラムに基づく制御処理をプロセッサ２１が実行することによって、プロセッサ２１を中枢部分とするコンピュータは取得制御手段として機能する。  
表示制御部１９ｂは、照明器具１が点灯すべき状態であるときには、記憶部が記憶している画像データで示される画像を常時表示するように表示パネル１９ａを制御する。ただし、照明制御装置５からの指令により、画像表示を行わない動作モードを設定できるようにしても良い。そして表示制御部１９ｂは、この画像表示を行わない動作モードが設定されているときには、上記の表示パネル１９ａの制御を行わないようにしても良い。
【００６６】
カバー１８の領域１８ｂは、入射する光を透過すると共に、この光の一部を散乱させることにより、この領域１８ｂ自体が光って見えるようになる。領域１８ｂには、主光源１４の１つが発した照明光及び副光源１６の１つが発した演出光のいずれもが入射し、それらを散乱させるから、カバー１３の見た目の色は、照明光の色及び演出光の色の混合色となる。そして図１１から分かるように、主光源１４は領域１８ｂの一端に近く、副光源１６は領域１８ｂの他端に近い。このため、照明光に対する演出光の強度比は、カバー１８の端部から中央に向かうにしたがって高くなる。したがって、カバー１８の領域１８ｂの見た目の色は、央側から端部に向かうにしたがって演出光の色の濃度が徐々に低下するグラデーションとなる。一方で窓１８ａを通しては、表示パネル１９ａにより表示された画像が見える。これらの結果として、カバー１８の全体としては、表示パネル１９ａにより表示された画像の両側部を照明光及び演出光によるグラデーションで縁取ったような１枚の画像として見える。  
図１６はカバー１８の見た目の色の様子を示す図である。
【００６７】
ここで、表示パネル１９ａで表示させる画像は任意であるが、領域１８ｂでのグラデーションとの馴染みが良いように作成されたオリジナルの画像とすることが想定される。この場合、画像と演出光の色とを、相互に適切に定めることが可能となり、窓１８ａと領域１８ｂとの境界を目立たなくすることが可能となる。
【００６８】
しかしながら、例えば通信ネットワーク４００を介して図示しない任意のＷＥＢサイトから取得した画像を表示パネル１９ａでの表示対象としても良い。この場合は、窓１８ａと領域１８ｂとの境界がなるべく目立たなくなるようなグラデーションが領域１８ｂに形成されるように、演出光の色を定めることが望ましい。この演出光の色の決定は、任意の人間により行われても良いし、プロセッサ２１が行っても良い。前者の場合、人間により定められた各色の設定データＤ２２，Ｄ２３，Ｄ２４を、前述の表示対象とする画像を示す画像データの画像コードＤ２１に関連付けて記述するものとして生成されたデータレコードＲ４が設定データテーブル２３ｄに含められる。後者の場合は例えば、プロセッサ２１は、前述の表示対象とする画像を示す画像データを画像データベース２３ｂに追加する際に、当該画像データを分析して演出光の適切な色を決定する。そしてプロセッサ２１は、その色に応じた各色の設定データＤ２２，Ｄ２３，Ｄ２４を、前述の画像データベース２３ｂに追加する画像データの画像コードＤ２１に関連付けて記述するものとして生成したデータレコードＲ４を設定データテーブル２３ｄに追加する。プロセッサ２１は例えば、表示対象とする画像のエッジ部分の平均的な色として、またはその平均的な色と所定の関係を持つ色として、演出光の適切な色を決定することができる。
【００６９】
そして第３の実施形態によれば、カバー１８の見た目の色にグラデーションを生じさせるための主光源１４及び副光源１６の発光条件に関して記述した設定データテーブル２３ｃ，２３ｄを照明制御装置２において記憶する。また、画像データを照明制御装置２において記憶する。そして表示対象とする画像を変更する必要が生じた照明器具４に対して照明制御装置２から、画像データを与えるとともに、主光源１４及び副光源１６の発光条件を通知する。かくして、表示対象とする画像のそれぞれを示す画像データを含んだ画像データベース２３ｂ及び設定データテーブル２３ｃ，２３ｄを照明器具４の個々に保持させる必要が無い。この結果、これら画像データベース２３ｂ及び設定データテーブル２３ｃ，２３ｄを照明器具４に設ける場合に比べて、照明器具のコストダウンを図れる。また、表示対象とする画像と主光源１４及び副光源１６の発光条件との関係を変更したい場合や、追加したい場合は、照明制御装置２のみでデータをメンテナンスすれば良く、照明器具４の個々においてデータをメンテナンスするのに比べて簡易となる。
【００７０】
この実施形態は、次のような種々の変形実施が可能である。  
各実施形態において、色変更条件は任意であって良い。以下に、いくつかの例を示す。  
(１)  プロセッサ２１は、色温度を変更するタイミングとして定められた時刻が到来したことに応じて、色変更条件が成立したと判定しても良い。このようにすると、例えば昼間は照明光を昼白色とし、夕方は照明光を電球色とすれば、カバー１３，１８の見た目の色を、時刻の変化に合わせて青空をイメージできる色から夕焼け空をイメージできる色へと自動的に変更できる。  
(２)  プロセッサ２１は、ＬＡＮ３を介して図１及び図３又は図１０及び図１２では示されない装置から色温度の変更が指示されたことに応じて、色変更条件が成立したと判定しても良い。このようにすると、例えば気温を計測し、当該気温に応じた色温度への変更を指示する装置をＬＡＮ３に接続し、気温が低いほど高い色温度に設定することとすれば、カバー１３，１８の見た目の色を、気温を推測できる色に自動的に設定できる。  
(３)  プロセッサ２１は、図１及び図３又は図１０及び図１２では示されないインターネットなどを介して予め定められたデータが取得できたことに応じて、色変更条件が成立したと判定しても良い。このようにすると、例えばＷｅｂサイトから天候の情報を取得し、晴天時は照明光を電球色とし、雨天時は照明光を昼白色とすれば、カバー１３，１８の見た目の色を、天候推測できる色に自動設定できる。
【００７１】
各実施形態においては、照明制御装置２，５は、いわゆる操作パネルと一体として構成される例を示している。しかしながら、操作パネルとは別体の装置として構成することができる。この場合に照明制御装置２，５のハードウェアとしては、家庭用又はサーバ用などの汎用のコンピュータ装置、あるいはスマートフォン又はタブレット端末などの情報端末装置を利用することもできる。
【００７２】
各実施形態において、各種の設定データテーブルは、外部のサーバなどに記憶されていても良い。
【００７３】
各実施形態は、例えば天井面に室内空間に突出する状態で取り付けるタイプなどのような施行形態の異なる様々なタイプの照明器具にも適用できる。
【００７４】
各実施形態における、主光源１４、副光源１５及び副光源１６はそれぞれ、次の様な構成に置き換えられても良い。例えば、ＬＥＤ群を備える発光ユニットと、電源回路、ＰＷＭ生成回路及び通信インタフェースを備えた電源装置とを別体として構成しても良い。この場合、図２及び図１１で示される主光源１４、副光源１５及び副光源１６に代えて発光ユニットをそれぞれ配置するとともに、筐体１１と反射板１２との間の空間に電源装置を配置することが好適である。なお、主光源１４に含まれる電源回路１４ｂ−Ｎ，ＰＷＭ生成回路１４ｃ−Ｎ及び通信インタフェース１４ｄ−Ｎと、電源回路１４ｂ−Ｌ、ＰＷＭ生成回路１４ｃ−Ｌ及び通信インタフェース１４ｄ−Ｌとは、いずれも１つの電源装置に組み込まれても良いし、別々の電源装置として構成されても良い。また、副光源１６に含まれる電源回路１６ｂ−Ｒ，ＰＷＭ生成回路１６ｃ−Ｒ及び通信インタフェース１６ｄ−Ｒと、電源回路１６ｂ−Ｇ，ＰＷＭ生成回路１６ｃ−Ｇ及び通信インタフェース１６ｄ−Ｇと、電源回路１６ｂ−Ｂ，ＰＷＭ生成回路１６ｃ−Ｂ及び通信インタフェース１６ｄ−Ｂとは、いずれも１つの電源装置に組み込まれても良いし、別々の電源装置として構成されても良い。
【００７５】
第１及び第２の実施形態において、副光源１５又は副光源１６は１つのみとしても良い。また主光源１４と副光源１５又は副光源１６とをそれぞれ１つずつとしても良い。さらには、主光源１４、副光源１５又は副光源１６は、３つ以上を備えても良い。
【００７６】
第３の実施形態において、画像変更条件は任意であって良い。以下に、いくつかの例を示す。  
(１)  プロセッサ２１は、画像を変更するタイミングとして定められた時刻が到来したことに応じて、画像変更条件が成立したと判定しても良い。この場合に例えば、朝は照明光を昼白色とし、演出光を白色としつつ、窓１８ａの第１の端部から鳥が飛び出してくる様子を示した画像を表示すれば、澄み切った空に鳥が飛び立つ様子を表現できる。そして昼間は照明光を昼白色とし、演出光を青色としつつ、窓１８ａの中央を鳥が飛んでいる様子を示した画像を表示すれば、青空を鳥が飛び回る様子を表現できる。また夕方は照明光を電球色とし、演出光を青色としつつ、窓１８ａの第１の端部へと鳥が飛び去る様子を示した画像を表示すれば、夕暮れの空を鳥が巣へと戻って行く様子を表現できる。  
(２)  プロセッサ２１は、ＬＡＮ３を介して図１０及び図１２では示されない装置から画像の変更が指示されたことに応じて、画像変更条件が成立したと判定しても良い。具体的には、例えば気温を計測し、当該気温に応じた色温度及び画像への変更を指示する装置をＬＡＮ３に接続する。そしてプロセッサ２１が、上記の装置からの指示に応じて、気温が低いほど高い色温度に設定するとともに、暑さを表現した複数の画像を適宜に表示することとすれば、カバー１８全体として暑さを表した絵となるように自動的に設定できる。  
(３)  プロセッサ２１は、図１０及び図１２では示されないインターネットなどを介して予め定められたデータが取得できたことに応じて、色変更条件が成立したと判定しても良い。このようにすると、例えばＷｅｂサイトから天候の情報を取得し、晴天時は照明光を電球色とともに太陽の画像を表示し、雨天時は照明光を昼白色とするとともに雨の画像を表示すれば、カバー１８全体として、天候を表した絵となるように自動設定できる。
【００７７】
第３の実施形態において、副光源１６は１つのみとしても良い。また主光源１４と副光源１６とをそれぞれ１つずつとしても良い。さらには、主光源１４又は副光源１６は、３つ以上を備えても良い。ただし、副光源１６のみを１つとする場合は、その１つの副光源１６が発する演出光がカバー１８の２つの領域１８ｂの双方に適正に入射するように反射板１７の形状を調整するか、別の反射板を備えるなどする。
【００７８】
第３の実施形態においては、画像データベース２３ｂを補助記憶ユニット２３には設けず、画像変更条件が成立する毎に、コンテンツサーバ５００などの外部の装置から画像データを取得しても良い。
【００７９】
第３の実施形態においては、表示制御部１９ｂが、照明制御装置５からの指示された画像データをコンテンツサーバ５００から照明制御装置５を介することなく取得しても良い。
【００８０】
第３の実施形態においては、表示器１９において動画像を表示させても良い。この場合、画像変更データに画像データに代えて動画像ファイルを含めれば良い。あるいは、ストリーミングなどの動画配信技術を利用して、照明制御装置２から照明器具４へと動画像データを伝送しても良い。なお表示器１９において動画像を表示させる場合、動画像の進捗に同期して、照明光の色温度及び演出光の色を変更しても良い。
【００８１】
第３の実施形態においては、表示器１９に代えて、カバー１３，１８へと画像を投影するなどの他の種類の表示デバイスを用いることもできる。
【００８２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８３】
１，４…照明器具、２，５…照明制御装置、３…ＬＡＮ、１１…筐体、１２…反射板、１３，１８…カバー、１４…主光源、１５，１６…副光源、１４ａ−Ｎ，１４ａ−Ｌ，１５ａ，１６ａ−Ｒ，１６ａ−Ｇ，１６ａ−Ｂ…ＬＥＤ群、１４ｂ−Ｎ，１４ｂ−Ｌ，１５ｂ，１６ｂ−Ｒ，１６ｂ−Ｇ，１６ｂ−Ｂ…電源回路、１４ｃ−Ｎ，１４ｃ−Ｌ，１５ｃ，１６ｃ−Ｒ，１６ｃ−Ｇ，１６ｃ−Ｂ…ＰＷＭ生成回路、１４ｄ−Ｎ，１４ｄ−Ｌ，１５ｄ，１６ｄ−Ｒ，１６ｄ−Ｇ，１６ｄ−Ｂ…通信インタフェース、１７…反射板、１８ａ…窓、１８ｂ…領域、１９…表示器、１９ａ…表示パネル、１９ｂ…表示制御部、１９ｃ…通信インタフェース、２１…プロセッサ、２２…主記憶ユニット、２３…補助記憶ユニット、２４…ボタン群、２５…表示器、２６…通信インタフェース、１００，２００…照明システム。
【図１】
2017112062.tif 000003
【図２】
2017112062.tif 000004
【図３】
2017112062.tif 000005
【図４】
2017112062.tif 000006
【図５】
2017112062.tif 000007
【図６】
2017112062.tif 000008
【図７】
2017112062.tif 000009
【図８】
2017112062.tif 000010
【図９】
2017112062.tif 000011
【図１０】
2017112062.tif 000012
【図１１】
2017112062.tif 000013
【図１２】
2017112062.tif 000014
【図１３】
2017112062.tif 000015
【図１４】
2017112062.tif 000016
【図１５】
2017112062.tif 000017
【図１６】
2017112062.tif 000018